(57)【要約】【課題】従来にはない面白みのある照明装置を提供する。【解決手段】モータ１５と、前記モータ１５により作動する作動機構２０と、前記モータ１５及び前記作動機構２０が上面に配置されたベース部材１２と、前記モータ１５及び前記作動機構２０を覆うように前記ベース部材１２に取り付けられるカバー３０と、前記カバー３０の内部に配設されたＬＥＤ１３ａと、を備え、前記カバー３０は、弾性変形可能かつ透光性を有する軟質材料で形成されており、前記作動機構２０によって所定の動作を実行可能である。【選択図】図２
2020113466.tif 000002
【特許請求の範囲】
【請求項１】
モータと、
前記モータにより作動する作動機構と、
前記モータ及び前記作動機構が上面に配置されたベース部材と、
前記モータ及び前記作動機構を覆うように前記ベース部材に取り付けられるカバーと、
前記カバーの内部に配設されたＬＥＤと、
を備え、
前記カバーは、弾性変形可能かつ透光性を有する軟質材料で形成されており、
前記作動機構によって所定の動作を実行可能であることを特徴とする、照明装置。
【請求項２】
前記照明装置は人形の形態であり、
前記作動機構は前記人形を左右に揺動させることを特徴とする、請求項１記載の照明装置。
【請求項３】
背面に電力供給のための電線接続部を備え、
前記電線接続部は、前記作動機構が前記人形を揺動させる揺動軸上に配置されていることを特徴とする、請求項２記載の照明装置。
【請求項４】
前記カバーの内部で前記作動機構を覆う白色の外殻体を備え、
前記外殻体の周囲に前記ＬＥＤが配設されていることを特徴とする、請求項１〜３のいずれか１項に記載の照明装置。
【発明の詳細な説明】
【技術分野】
【０００１】
この発明は、室内で使用される照明装置に関する。例えば、玩具として遊ぶことができる照明装置や、見て楽しむことができる照明装置に関する。
【背景技術】
【０００２】
この種の照明装置として、例えば特許文献１には、半透明の材質で中空な人形状のカバーを形成し、このカバー内に電球を内蔵させたものが開示されている。このような装置によれば、電球を点灯させることで人形全体が発光して独特の雰囲気を醸し出すことができる。
【先行技術文献】
【特許文献】
【０００３】
【特許文献１】実開昭６０−１９４８０６号公報
【発明の概要】
【発明が解決しようとする課題】
【０００４】
しかし、上記した従来の照明装置では、単に人形が光るだけであり、面白みに欠けていた。
そこで、本発明は、従来にはない面白みのある照明装置を提供することを課題とする。
【課題を解決するための手段】
【０００５】
本発明は、上記した課題を解決するためになされたものであり、モータと、前記モータにより作動する作動機構と、前記モータ及び前記作動機構が上面に配置されたベース部材と、前記モータ及び前記作動機構を覆うように前記ベース部材に取り付けられるカバーと、前記カバーの内部に配設されたＬＥＤと、を備え、前記カバーは、弾性変形可能かつ透光性を有する軟質材料で形成されており、前記作動機構によって所定の動作を実行可能であることを特徴とする。
【発明の効果】
【０００６】
本発明は上記の通りであり、カバーは、弾性変形可能かつ透光性を有する軟質材料で形成されており、カバーの内部にはＬＥＤが配設されている。このような構成によれば、照明装置を触ったり抱いたりして楽しむこともでき、見た目にも柔らかな独特の印象とすることができる。また、作動機構によって所定の動作を実行可能であるため、更に面白みのある照明装置とすることができる。
【０００７】
なお、照明装置を人形の形態として、作動機構が人形を左右に揺動させるようにしてもよい。人形が揺動する動きは、照明としての機能を大きく損ねないので、照明としての機能と動きによる面白みとを両立させることができる。
【０００８】
また、背面に電力供給のための電線接続部を設け、作動機構が人形を揺動させる揺動軸上に電線接続部を配置してもよい。このような構成によれば、人形が揺動するときに電線が引っ張られないので、電線が絡まったり、人形が転倒したりすることを防止できる。
【０００９】
また、カバーの内部で作動機構を覆う白色の外殻体を備え、外殻体の周囲にＬＥＤを配設してもよい。このような構成によれば、ＬＥＤを点灯したときに作動機構の影が生じにくい。すなわち、作動機構を外殻体で覆っているため、ごつごつした作動機構の影が生じにくい。また、外殻体の周囲にＬＥＤが配設されているため、外殻体の周囲が満遍なく光るようになっており、外殻体自体の影も生じにくい。また、白い外殻体がＬＥＤの光を反射するため、光が拡散して陰影が生じにくくなっている。よって、機械的な構造を内蔵しているにもかかわらず、柔らかな印象の照明とすることができる。
【図面の簡単な説明】
【００１０】
【図１】照明装置の外観図である。
【図２】照明装置の分解図である。
【図３】外殻体とＬＥＤの関係を説明するための（ａ）斜視図、（ｂ）平面図である。
【図４】作動機構の構造を説明するための（ａ）斜視図、（ｂ）正面図である。
【図５】照明装置が揺動する様子を示す図であって、（ａ）最も右方向に揺動したときの背面図、（ｂ）最も左方向に揺動したときの背面図である。
【図６】照明装置の構成を概略的に示すブロック図である。
【発明を実施するための形態】
【００１１】
本発明の実施形態について、図を参照しながら説明する。
本実施形態に係る照明装置１０は、室内で卓上や床などに置いて使用することを想定したものであり、平坦な面に載置可能な形状で形成されている。例えば、図１に示すように動物やキャラクターなどの人形の形態で形成されており、置物のように飾ることができる。
この照明装置１０は、図２に示すように、土台部１１と、カバー３０と、中間部材３１と、を備えている。
【００１２】
土台部１１は、照明装置１０の下部を構成する部位であり、平面上に載置可能となっている。本実施形態に係る土台部１１は、ベース部材１２と、メイン基板１３と、サブ基板１４と、モータ１５と、作動機構２０と、外殻体２９と、を備えている。
【００１３】
ベース部材１２は、後述するカバー３０と一体的に結合されることより、人形の表面形状を形成するものである。このベース部材１２は、後述するカバー３０と同じ材料で形成されており、弾性変形可能かつ透光性を有する軟質材料（例えばシリコン樹脂などの合成樹脂）で形成されている。このベース部材１２は、上方が開口した椀型となっており、内部に後述するモータ１５や作動機構２０が配置されている（ただし、後述するように、作動機構２０の一部である上下動部材２６は、ベース部材１２を貫通してベース部材１２の下方に突出している）。また、このベース部材１２の底面には、後述する上下動部材２６の下部を外部に突出させるための穴が設けられている。
【００１４】
メイン基板１３は、照明装置１０の作動を制御するためのものである。このメイン基板１３には、ＣＰＵ、ＲＯＭ、ＲＡＭ等が実装されており、モータ１５の駆動やＬＥＤ１３ａの点灯などを制御している。また、このメイン基板１３の上面には、図３等に示すように複数のＬＥＤ１３ａが実装されている。このメイン基板１３は、ベース部材１２の上に水平に配置されている。なお、本実施形態においてはＬＥＤ１３ａをメイン基板１３の上面に実装しているが、これに限らず、ＬＥＤ１３ａはメイン基板１３と分離して配設されていてもよい。
【００１５】
サブ基板１４は、メイン基板１３から離れた位置にＬＥＤ１３ａを配設するための基板である。このサブ基板１４の上には、図３等に示すように複数のＬＥＤ１３ａが配設されている。このサブ基板１４は、メイン基板１３によって制御されており、すなわち、サブ基板１４に実装されたＬＥＤ１３ａはメイン基板１３によって点灯が制御されている。このサブ基板１４は、後述する外殻体２９の上に水平に固定されている。
【００１６】
モータ１５は、後述する作動機構２０を作動させる動力源となるものである。モータ１５の出力軸には、図４（ｂ）に示すように、出力ギア１５ａが取り付けられており、この出力ギア１５ａを介してモータ１５の回転力が作動機構２０へと伝達されるようになっている。
【００１７】
作動機構２０は、モータ１５により作動して所定の動作を行うものである。本実施形態に係る作動機構２０は、照明装置１０の外観である人形を左右に揺動させる動作を行う。この作動機構２０は、図４に示すように、ギア群２１と、回転軸２２と、カム部材２３と、シリンダ２５と、上下動部材２６と、付勢部材２７と、を備えている。
【００１８】
ギア群２１は、モータ１５の回転力を伝達するためのものであり、互いに噛合する複数の歯車で構成されている。このギア群２１の最も上流側の歯車は、モータ１５の出力ギア１５ａに噛合しており、モータ１５が回転したときに同時に回転するようになっている。
【００１９】
回転軸２２は、土台部１１によって回転可能に支持されており、ギア群２１の下流側のギアと一体的に回転するようになっている。この回転軸２２は、土台部１１が水平に載置されたときに水平となるように配置されており、両端部にカム部材２３が固定されている。
【００２０】
カム部材２３は、回転軸２２に固定されて回転軸２２と一体的に回転する部材である。このカム部材２３は、中心からの距離が一定でない円周面を備えた卵型の円板カムである。このカム部材２３は、回転軸２２の両端にそれぞれ異なる向きで取り付けられている。両端の２つのカム部材２３の下方には、それぞれのカム部材２３に対応して上下動部材２６が１つずつ配置されている。
【００２１】
シリンダ２５は、上下動部材２６の摺動を案内するための円筒状の部材である。このシリンダ２５は、２つの上下動部材２６に対応して２つ配置されている。上下動部材２６は、このシリンダ２５によって上下に摺動可能に支持されている。
【００２２】
上下動部材２６は、上面がカム部材２３の周面に接しており、カム部材２３の回転に追従して上下に移動するようになっている。この上下動部材２６は付勢部材２７によって常時上方へと付勢されており、これにより、上下動部材２６の上面がカム部材２３の周面（下端部）に押し付けられている。この上下動部材２６は、カム部材２３に対応して左右に２つ設けられており、この２つの上下動部材２６は互い違いに上下動するようになっている。すなわち、２つのカム部材２３の周面が互いに反対方向に突出するように配置されているため、一方の上下動部材２６が上死点にきたときに、他方の上下動部材２６が下死点にくるように構成されている。
【００２３】
なお、上記したギア群２１やカム部材２３は、図４（ａ）に示すように、メイン基板１３よりも上方に配置されている。また、上下動部材２６は、メイン基板１３およびベース部材１２を上下に貫通している。ベース部材１２を貫通した上下動部材２６の下端部には、接地部２６ａが設けられている。この接地部２６ａは、照明装置１０を地面に載置したときに接地するようになっている。上下動部材２６が上動すると、図５に示すように、接地部２６ａが地面を押すことで照明装置１０が持ち上げられる。そして、左右の上下動部材２６が交互に地面を押すことで、照明装置１０が左右に揺動する動きが実現される。
【００２４】
外殻体２９は、後述するカバー３０の内部で作動機構２０の上面を覆う部材であり、図３に示すようなドーム型の白色の部材である。本実施形態に係る外殻体２９は、メイン基板１３の上方に突出している部位をすべて覆っている。この外殻体２９は、メイン基板１３に実装されたＬＥＤ１３ａを覆わないように、土台部１１（本実施形態においてはメイン基板１３）に固定される。これにより、外殻体２９の周囲にＬＥＤ１３ａが配設されるようになっている。
【００２５】
カバー３０は、外殻体２９の更に外側から、モータ１５及び作動機構２０を覆うようにベース部材１２に取り付けられる部材である。このベース部材１２は、弾性変形可能かつ透光性を有する軟質材料（例えばシリコン樹脂などの合成樹脂）で形成されている。このカバー３０は、外殻体２９をすっぽりと覆うように開口部を拡開させた形状であり、このカバー３０をベース部材１２に取り付けることで、図１に示すような人形の形態となる。カバー３０の開口とベース部材１２の開口とは同じ大きさで形成されており、中間部材３１を介してこの２つの開口を接合することで、カバー３０をベース部材１２に取り付けることができる。本実施形態においては、中間部材３１の上面にカバー３０をネジなどで固定し、中間部材３１の下面にベース部材１２をネジなどで固定している。
【００２６】
このようにカバー３０を取り付けることで、カバー３０の内部にＬＥＤ１３ａが配設された状態となる。各ＬＥＤ１３ａは、外殻体２９の周囲および外殻体２９の上面に配置されており、上向きに発光するようになっている。
【００２７】
このような照明装置１０の動作は、上記したメイン基板１３によって制御される。メイン基板１３は、ＣＰＵを中心に構成され、ＣＰＵがＲＯＭに記憶されたプログラムを読み込むことで、各種の入力装置及び出力装置を制御するように構成されている。
【００２８】
メイン基板１３に接続される入力装置としては、図６に示すように、メインスイッチ４１、振動センサ４２、音センサ４３が設けられている。また、メイン基板１３に接続される出力装置としては、図６に示すように、ＬＥＤ１３ａ、モータ１５、スピーカ４６が設けられている。なお、入出力装置としては、これらに限定されず、他の入力装置を備えていてもよい。
【００２９】
メインスイッチ４１は、照明装置１０の主電源をオン・オフするためのものである。このメインスイッチ４１は、押下するたびに主電源のオン・オフを交互に切り替える押しボタンスイッチである。このメインスイッチ４１が押されて主電源がオンになると、メイン基板１３に電力が供給され、照明装置１０が作動可能となる。また、このメインスイッチ４１が押されて主電源がオフになると、メイン基板１３への電力供給が遮断され、照明装置１０が作動できなくなる。なお、特に図示しないが、メインスイッチ４１をベース部材１２の内側に配置し、ベース部材１２の外側からメインスイッチ４１を押下可能としてもよい。ベース部材１２は柔軟性のある素材で形成されているため、ベース部材１２の外側から押下した場合でもベース部材１２が変形してメインスイッチ４１を押すことができる。このように構成すれば、スイッチが外部に露出しないので、人形としての外観を損なわず、柔らかな印象を保つことができる。
【００３０】
振動センサ４２は、照明装置１０に加えられた振動を検知するためのものである。この振動センサ４２は、例えば照明装置１０を構成する人形の頭部が軽く叩かれた振動を検知し、メイン基板１３に信号を出力する。メイン基板１３は、振動センサ４２から出力された信号を基に各種の動作を行う。
【００３１】
音センサ４３は、照明装置１０の周囲で発生した音を検知するためのものである。この振動センサ４２は、例えば照明装置１０に向かって声がかけられたことを検知し、メイン基板１３に信号を出力する。メイン基板１３は、音センサ４３から出力された信号を基に各種の動作を行う。
メイン基板１３が振動センサ４２または音センサ４３からの信号を受信したときに行う動作としては、種々の態様が考えられる。
【００３２】
例えば、照明装置１０を軽く叩くごとにＬＥＤ１３ａの明るさを切り替えて、明るさを調整できるようにしてもよい。具体的には、振動センサ４２が振動を１回検知するごとに、ＬＥＤ１３ａの明るさを「暗」→「中」→「明」→「切」の順番で循環して切り替わるようにしてもよい。なお、「暗」は最も暗い状態であり、「中」は中間の明るさの状態であり、「明」は最も明るい状態であり、「切」は消灯状態である。
【００３３】
また、照明装置１０を軽く叩くごとにＬＥＤ１３ａの光り方（モード）を切り替えられるようにしてもよい。具体的には、振動センサ４２が振動を１回検知するごとに、「常時点灯モード」→「段階変化モード」→「無段階変化モード」→「点滅モード」の順番で循環して切り替わるようにしてもよい。なお、「常時点灯モード」は常にＬＥＤ１３ａが点灯するモードであり、「段階変化モード」はＬＥＤ１３ａの明るさが一定時間（例えば２秒）ごとに切り替わるモードであり、「無段階変化モード」はＬＥＤ１３ａの明るさが無段階で変化するモード（呼吸しているように光るモード）であり、「点滅モード」はＬＥＤ１３ａが点滅するモードである。
【００３４】
また、照明装置１０に話しかけることで作動機構２０が作動し、所定の動作を実行するようにしてもよい。具体的には、音センサ４３が音を検知すると、メイン基板１３がモータ１５を回転させて作動機構２０を作動させ、照明装置１０が左右に揺動するようにしてもよい。
また、上記のような動作に合わせて、スピーカ４６から音声を出力するようにしてもよい。
【００３５】
なお、本実施形態に係る照明装置１０は、外部電源により作動するものとなっており、背面に電力供給のための電線接続部３２を備えている。この電線接続部３２には、家庭用電源に接続した電源ケーブルを接続可能となっている（電源ケーブルは、電線接続部３２に常に接続されているようにしてもよいし、電線接続部３２に着脱可能としてもよい）。この電線接続部３２は、図５に示すように、作動機構２０が人形を揺動させる揺動軸上に配置されている。このため、人形がどちらに揺動したときでも、電線接続部３２の位置が大きく変化しないようになっている。このような構成によれば、人形が揺動するときに電線が引っ張られないので、電線が絡まったり、人形が転倒したりすることを防止できる。
【００３６】
なお、本実施形態に係る照明装置１０は外部電源により作動するものとしたが、これに限らない。照明装置１０は、内蔵電池によって作動するものであってもよい。
【００３７】
以上説明したように、本実施形態によれば、カバー３０は、弾性変形可能かつ透光性を有する軟質材料で形成されており、カバー３０の内部にはＬＥＤ１３ａが配設されている。このため、照明装置１０を触ったり抱いたりして楽しむこともでき、見た目にも柔らかな独特の印象とすることができる。また、作動機構２０によって所定の動作を実行可能であるため、更に面白みのある照明装置１０とすることができる。
【００３８】
また、照明装置１０を人形の形態として、作動機構２０が人形を左右に揺動させるようにしている。人形が揺動する動きは照明としての機能を大きく損ねないので、照明としての機能と動きによる面白みとを両立させることができる。
【００３９】
また、カバー３０の内部で作動機構２０を覆う白色の外殻体２９を備え、外殻体２９の周囲にＬＥＤ１３ａを配設している。このため、ＬＥＤ１３ａを点灯したときに作動機構２０の影が生じにくい。すなわち、作動機構２０を外殻体２９で覆っているため、ごつごつした作動機構２０の影が生じにくい。また、外殻体２９の周囲にＬＥＤ１３ａが配設されているため、外殻体２９の周囲が満遍なく光るようになっており、外殻体２９自体の影も生じにくい。また、白い外殻体２９がＬＥＤ１３ａの光を反射するため、光が拡散して陰影が生じにくくなっている。よって、機械的な構造を内蔵しているにもかかわらず、柔らかな印象の照明とすることができる。
【００４０】
また、カバー３０の形状を変えるだけで別の動物やキャラクターの照明を制作することも容易である。よって、内部構造に変更を加えることなくバリエーションを展開できるので、製造コストや在庫を抑制することができる。
【符号の説明】
【００４１】
１０  照明装置
１１  土台部
１２  ベース部材
１３  メイン基板
１３ａ  ＬＥＤ
１４  サブ基板
１５  モータ
１５ａ  出力ギア
２０  作動機構
２１  ギア群
２２  回転軸
２３  カム部材
２５  シリンダ
２６  上下動部材
２６ａ  接地部
２７  付勢部材
２９  外殻体
３０  カバー
３１  中間部材
３２  電線接続部
４１  メインスイッチ
４２  振動センサ
４３  音センサ
４６  スピーカ
【図１】
2020113466.tif 000003
【図２】
2020113466.tif 000004
【図３】
2020113466.tif 000005
【図４】
2020113466.tif 000006
【図５】
2020113466.tif 000007
【図６】
2020113466.tif 000008